【手続補正書】
【提出日】平成26年4月9日(2014.4.9)
【手続補正１】
【補正対象書類名】特許請求の範囲
【補正対象項目名】全文
【補正方法】変更
【補正の内容】
【特許請求の範囲】
【請求項１】
海岸線を保護または復元するためのバリアアセンブリであって、前記バリアアセンブリは蛇籠を備え、前記蛇籠は、長さに沿って複数の仕切り壁で仕切られた離間間隔で連結した対向する側壁を有し、隣接し合う前記仕切り壁の対の間の空間は、前記側壁と共同して、前記蛇籠の少なくとも１つの単コンパートメントを画定しており、前記蛇籠の前記少なくとも１つの単コンパートメントは、それぞれの対向する側壁と、または、それぞれの対向する側壁の対向する側壁区間と境界を接しており、前記仕切り壁は前記側壁に旋回的に連結しており、前記蛇籠の前記単コンパートメントは、前記単コンパートメントから離れる方向に延び、少なくとも部分的に収束したオープン式骨組みパネルを有し、前記オープン式骨組みパネルは前記蛇籠に付属した突出コンパートメントまたはその一部を形成している、バリアアセンブリ。
【請求項２】
多コンパートメント型蛇籠を備え、前記多コンパートメント型蛇籠は、長さに沿って複数の仕切り壁で仕切られた離間間隔で連結した対向する側壁を有し、隣接し合う前記仕切り壁の対の間の空間は、前記側壁と共同して、前記多コンパートメント型蛇籠の各々の単コンパートメントを画定し、前記多コンパートメント型蛇籠の各々の単コンパートメントは、それぞれの対向する側壁の対向した側壁区間と境界を接し、前記仕切り壁は前記側壁に旋回的に連結し、隣接した側壁区間同士は旋回的に連結し、また、前記蛇籠の第１単コンパートメントをさらに備え、前記第１単コンパートメントは、前記第１単コンパートメントから離れる方向に延び、少なくとも部分的に収束したオープン式骨組みパネルを有し、前記オープン式骨組みパネルは前記蛇籠に付属した突出コンパートメント、またはその一部を形成している、請求項１に記載のバリアアセンブリ。
【請求項３】
前記第１単コンパートメントと隣接した前記蛇籠の第２単コンパートメントは、前記第１単コンパートメントから延びているものと同じ形状またはサイズの前記突出コンパートメントを一切備えていない、請求項２に記載のバリアアセンブリ。
【請求項４】
前記第２単コンパートメントは突出コンパートメントを全く備えていない、請求項２に記載のバリアアセンブリ。
【請求項５】
前記第１単コンパートメントと隣接している第２単コンパートメントは少なくとも２つのチャンバを備える、請求項２〜４のいずれか１項に記載のバリアアセンブリ。
【請求項６】
前記チャンバはサイズが同一でない、請求項５に記載のバリアアセンブリ。
【請求項７】
前記蛇籠の長さに沿った突出コンパートメントを複数備え、最寄りの突出コンパートメント同士は側壁の長さ分だけ離間している、請求項１〜６のいずれか１項に記載のバリアアセンブリ。
【請求項８】
前記側壁の長さは、側壁区間の長さと等しい、請求項７に記載のバリアアセンブリ。
【請求項９】
前記側壁の長さは側壁区間である、請求項８に記載のバリアアセンブリ。
【請求項１０】
前記最寄りの突出コンパートメントの少なくとも一部と前記側壁の長さとでチャネルを画定している、請求項８または９のいずれか１項に記載のバリアアセンブリ。
【請求項１１】
偶数のコンパートメント、好ましくは４つのコンパートメントを備える、請求項１〜１０のいずれか１項に記載のバリアアセンブリ。
【請求項１２】
前記収束したパネルは三角形コンパートメントを形成している、請求項１〜１１のいずれか１項に記載のバリアアセンブリ。
【請求項１３】
前記少なくとも１つの単コンパートメントは方形の断面を有する、請求項１〜１２のいずれか１項に記載のバリアアセンブリ。
【請求項１４】
前記少なくとも１つの単コンパートメントはジオテキスタイル材料で被覆されている、請求項１〜１３のいずれか１項に記載のバリアアセンブリ。
【請求項１５】
前記少なくとも１つの単コンパートメントは、少なくとも部分的に、充填材料、好ましくは砂、石、および／または植物で充填されている、請求項１〜１４のいずれか１項に記載のバリアアセンブリ。
【請求項１６】
少なくとも前記突出コンパートメントはメッシュ状である、請求項１〜１５のいずれか１項に記載のバリアアセンブリ。
【請求項１７】
前記突出コンパートメントは少なくとも部分的に牡蠣殻などで充填されている、請求項１〜１６のいずれか１項に記載のバリアアセンブリ。
【請求項１８】
前記牡蠣殻は前記突出コンパートメントから突き出し、その表面に見事に留まるように配置されている、請求項１７に記載のバリアアセンブリ。
【請求項１９】
前記突出コンパートメントは前記少なくとも１つの単コンパートメントに取り外し可能に取り付けられている、請求項１〜１８のいずれか１項に記載のバリアアセンブリ。
【請求項２０】
前記突出コンパートメント用の補強部材を備え、前記補強部材は好ましくはパネル、より好ましくはメッシュパネルの形態をしている、請求項１〜１９のいずれか１項に記載のバリアアセンブリ。
【請求項２１】
前記突出コンパートメントは三角形コンパートメントであり、前記補強部材は前記三角形コンパートメントの中線に沿って位置決めされている、請求項２０に記載のバリアアセンブリ。
【請求項２２】
前記補強部材は、前記三角形コンパートメントの内壁の中間点と、前記三角形コンパートメントの前記突出頂点とを結ぶ前記中線に沿って位置決めされている、請求項２１に記載のバリアアセンブリ。
【請求項２３】
前記突出コンパートメントは、前記少なくとも１つの単コンパートメントに旋回的に連結している、請求項１〜２２のいずれか１項に記載のバリアアセンブリ。
【請求項２４】
前記三角形コンパートメントは、第１単コンパートメントと共に三角形を形成する２枚のパネルを備えている、請求項１２〜２３のいずれか１項に記載のバリアアセンブリ。
【請求項２５】
前記２枚のパネルの各縁は、前記少なくとも１つの単コンパートメントの対応する縁に、少なくとも２つの重なり合うらせんコイルによって連結している、請求項２４に記載のバリアアセンブリ。
【請求項２６】
前記少なくとも２つの重なり合うらせんコイルは、前記コイルの重なり領域と交差する接合ピンによって、解除可能に連結している、請求項２５に記載のバリアアセンブリ。
【請求項２７】
前記三角形コンパートメントの突出頂点を画定している前記パネルの縁同士は、１つのらせんコイルによって連結している、請求項２４〜２６のいずれか１項に記載のバリアアセンブリ。
【請求項２８】
前記三角形コンパートメントの突出頂点は鈍角の内角を備える、請求項１２〜２７のいずれか１項に記載のバリアアセンブリ。
【請求項２９】
前記三角形コンパートメントの突出頂点は鋭角の内角を備える、請求項１２〜２７のいずれか１項に記載のバリアアセンブリ。
【請求項３０】
前記アセンブリは折り畳み式である、請求項１〜２９のいずれか１項に記載のバリアアセンブリ。
【請求項３１】
海岸線を保護または復元する方法であって、前記方法は、
‐バリアアセンブリを提供するステップであって、前記バリアアセンブリは蛇籠を備え、前記蛇籠は、長さに沿って複数の仕切り壁で仕切られた離間間隔で連結している対向する側壁を有し、隣接し合う仕切り壁の対の間の空間は、前記側壁と共同して、前記蛇籠の少なくとも１つの単コンパートメントを画定し、前記蛇籠の前記少なくとも１つの単コンパートメントは、それぞれの対向する側壁と、または、それぞれの対向する側壁の対向する側壁区間と境界を接し、前記仕切り壁は前記側壁に旋回的に連結しており、前記蛇籠の前記単コンパートメントは、前記単コンパートメントから離れる方向に延び、少なくとも部分的に収束したオープン式骨組みパネルを有し、前記オープン式骨組みパネルは前記蛇籠に付属した突出コンパートメントまたはその一部を形成している、バリアアセンブリを提供するステップと、
−前記少なくとも１つの単コンパートメントを少なくとも部分的に、充填材料、好ましくは砂、石、および／または植物によって充填するステップと、
−前記突出コンパートメントを少なくとも部分的に牡蠣殻で充填するステップと、
−海岸線を少なくとも部分的に前記バリアアセンブリでライニングするステップとを備える、方法。
【請求項３２】
一切の充填材料を受容する以前の前記少なくとも１つの単コンパートメントを、ジオテキスタイル材料で被覆するステップを含む、請求項３１に記載の方法。
【請求項３３】
少なくとも２つの単コンパートメントを提供し、これらを直線関係に位置決めするステップを含む、請求項３１または３２のいずれか１項に記載の方法。
【請求項３４】
波エネルギー、特に海の波エネルギーの方向を変更させるための、請求項１〜３０のいずれか１項に記載のバリアアセンブリの使用。
【請求項３５】
海岸線を保護するための、請求項１〜３０のいずれか１項に記載のバリアアセンブリの使用。
【請求項３６】
海岸線を復元するための、請求項１〜３０のいずれか１項に記載のバリアアセンブリの使用。
【請求項３７】
実質的に添付の図面を参照してここで記述された、または添付の図面に示すとおりの、波エネルギーの方向を変更させるバリアアセンブリ。
【請求項３８】
実質的に添付の図面を参照してここで記述された、または添付の図面に示すとおりの、海岸線を保護または復元する方法。
【請求項３９】
実質的に添付の図面を参照してここで記述された、または添付の図面に示すとおりの、バリアの使用。